【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
ビデオを符号化する方法であって、
−  前記ビデオの少なくとも１つの写真をビットストリームに符号化することと、
−  Supplemental Enhancement Informationネスティングメッセージを符号化することと
を含み、前記Supplemental Enhancement Informationネスティングメッセージを符号化することは、
−  前記写真内の領域の数を示すパラメータを符号化することと、
−  前記領域の各々について、前記写真内の前記領域の位置を表す少なくとも１つのパラメータを符号化することと、
−  前記Supplemental Enhancement Informationネスティングメッセージ中にネスティングされるSupplemental Enhancement Informationメッセージの数を示すパラメータを符号化することと、
−  前記Supplemental Enhancement Informationネスティングメッセージ中にネスティングされる各Supplemental Enhancement Informationメッセージについて、処理情報を符号化することと、
−  各領域と、前記少なくとも１つのSupplemental Enhancement Informationネスティングメッセージ中にネスティングされる少なくとも１つのSupplemental Enhancement Informationメッセージとの関連付けを表す情報を符号化することとを含む、方法。
【請求項２】
コード化されたビデオを表すビットストリームを復号する方法であって、
−  前記ビデオの少なくとも１つの写真を前記ビットストリームから復号することと、
−  Supplemental Enhancement Informationネスティングメッセージを復号することと
を含み、前記Supplemental Enhancement Informationネスティングメッセージを復号することは、
−  前記写真内の領域の数を示すパラメータを復号することと、
−  前記領域の各々について、前記写真内の前記領域の位置を表す少なくとも１つのパラメータを復号することと、
−  前記Supplemental Enhancement Informationネスティングメッセージ中にネスティングされるSupplemental Enhancement Informationメッセージの数を示すパラメータを復号することと、
−  前記Supplemental Enhancement Informationネスティングメッセージ中にネスティングされる各Supplemental Enhancement Informationメッセージについて、処理情報を復号することと、
−  各領域と、前記少なくとも１つのSupplemental Enhancement Informationネスティングメッセージ中にネスティングされる少なくとも１つのSupplemental Enhancement Informationメッセージとの関連付けを表す情報を復号することとを含む、方法。
【請求項３】
ビデオを符号化する装置であって、
−  前記ビデオの少なくとも１つの写真をビットストリームに符号化する手段と、
−  Supplemental Enhancement Informationネスティングメッセージを符号化する手段とを含み、前記Supplemental Enhancement Informationネスティングメッセージを符号化する前記手段は、
−  前記写真内の領域の数を示すパラメータを符号化する手段と、
−  前記領域の各々について、前記写真内の前記領域の位置を表す少なくとも１つのパラメータを符号化する手段と、
−  前記Supplemental Enhancement Informationネスティングメッセージ中にネスティングされるSupplemental Enhancement Informationメッセージの数を示すパラメータを符号化する手段と、
−  前記Supplemental Enhancement Informationネスティングメッセージ中にネスティングされる各Supplemental Enhancement Informationメッセージについて、処理情報を符号化する手段と、
−  各領域と、前記少なくとも１つのSupplemental Enhancement Informationネスティングメッセージ中にネスティングされる少なくとも１つのSupplemental Enhancement Informationメッセージとの関連付けを表す情報を符号化する手段とを含む、装置。
【請求項４】
コード化されたビデオを表すビットストリームを復号する装置であって、
−  前記ビデオの少なくとも１つの写真を前記ビットストリームから復号する手段と、
−  Supplemental Enhancement Informationネスティングメッセージを復号する手段とを含み、前記Supplemental Enhancement Informationネスティングメッセージを復号する前記手段は、
−  前記写真内の領域の数を示すパラメータを復号する手段と、
−  前記領域の各々について、前記写真内の前記領域の位置を表す少なくとも１つのパラメータを復号する手段と、
−  前記Supplemental Enhancement Informationネスティングメッセージ中にネスティングされるSupplemental Enhancement Informationメッセージの数を示すパラメータを復号する手段と、
−  前記Supplemental Enhancement Informationネスティングメッセージ中にネスティングされる各Supplemental Enhancement Informationメッセージについて、処理情報を復号する手段と、
−  各領域と、前記少なくとも１つのSupplemental Enhancement Informationネスティングメッセージ中にネスティングされる少なくとも１つのSupplemental Enhancement Informationメッセージとの関連付けを表す情報を復号する手段とを含む、装置。
【請求項５】
プロセッサによって実行されるときに、請求項１に記載の方法を実行するためのソフトウェアコード命令を含むコンピュータプログラム。
【請求項６】
プロセッサによって実行されるときに、請求項２に記載の方法を実行するためのソフトウェアコード命令を含むコンピュータプログラム。
【請求項７】
コード化されたビデオを表すビットストリームであって、
−  前記ビデオの１つの写真を表すコード化されたデータと、
−  少なくとも１つのSupplemental Enhancement Informationネスティングメッセージと
を含み、前記少なくとも１つのSupplemental Enhancement Informationネスティングメッセージは、
−  前記写真内の領域の数を示すパラメータと、
−  前記領域の各々について、前記写真内の前記領域の位置を表す少なくとも１つのパラメータと、
−  前記Supplemental Enhancement Informationネスティングメッセージ中にネスティングされるSupplemental Enhancement Informationメッセージの数を示すパラメータと、
−  前記Supplemental Enhancement Informationネスティングメッセージ中にネスティングされる各Supplemental Enhancement Informationメッセージについての処理情報と、
−  各領域と、前記少なくとも１つのSupplemental Enhancement Informationネスティングメッセージ中にネスティングされる少なくとも１つのSupplemental Enhancement Informationメッセージとの関連付けを表す情報とを含む、ビットストリーム。
【手続補正２】
【補正対象書類名】明細書
【補正対象項目名】０１２６
【補正方法】変更
【補正の内容】
【０１２６】
デコーダ装置ＤＥＣＯＤＥＲは、ポストプロセッサと通信して、前記写真内の領域の位置を表す復号されたパラメータセット及び前記復号された写真内の前記領域のピクセルに適用する復号された処理メタデータを送信するようになされたインタフェースも含む。
（付記１）
ビデオを符号化する方法であって、
−  前記ビデオの少なくとも１つの写真をビットストリームに符号化すること（３０１）と、
−  Supplemental Enhancement Informationネスティングメッセージを符号化すること（３０２）とを含み、前記Supplemental Enhancement Informationネスティングメッセージを符号化することは、
−  前記写真内の領域の数を示すパラメータを符号化すること（３０３）と、
−  前記領域の各々について、前記写真内の前記領域の位置を表す少なくとも１つのパラメータを符号化すること（３０３）と、
−  前記Supplemental Enhancement Informationネスティングメッセージ中にネスティングされるSupplemental Enhancement Informationメッセージの数を示すパラメータを符号化すること（３０４）と、
−  前記Supplemental Enhancement Informationネスティングメッセージ中にネスティングされる各Supplemental Enhancement Informationメッセージについて、処理情報を符号化すること（３０４）と、
−  各領域と、前記少なくとも１つのSupplemental Enhancement Informationネスティングメッセージ中にネスティングされる少なくとも１つのSupplemental Enhancement Informationメッセージとの関連付けを表す情報を符号化すること（３０４）と
を含む、方法。
（付記２）
コード化されたビデオを表すビットストリームを復号する方法であって、
−  前記ビデオの少なくとも１つの写真を前記ビットストリームから復号すること（４０
１）と、
−  Supplemental Enhancement Informationネスティングメッセージを復号すること（４
０２）と
を含み、前記Supplemental Enhancement Informationネスティングメッセージを復号する
ことは、
−  前記写真内の領域の数を示すパラメータを復号すること（４０３）と、
−  前記領域の各々について、前記写真内の前記領域の位置を表す少なくとも１つのパラメータを復号すること（４０３）と、
−  前記Supplemental Enhancement Informationネスティングメッセージ中にネスティングされるSupplemental Enhancement Informationメッセージの数を示すパラメータを復号すること（４０４）と、
−  前記Supplemental Enhancement Informationネスティングメッセージ中にネスティングされる各Supplemental Enhancement Informationメッセージについて、処理情報を復号すること（３０４）と、
−  各領域と、前記少なくとも１つのSupplemental Enhancement Informationネスティングメッセージ中にネスティングされる少なくとも１つのSupplemental Enhancement Informationメッセージとの関連付けを表す情報を復号すること（３０４）と
を含む、方法。
（付記３）
ビデオを符号化する装置であって、
−  前記ビデオの少なくとも１つの写真をビットストリームに符号化する手段と、
−  Supplemental Enhancement Informationネスティングメッセージを符号化する手段とを含み、前記Supplemental Enhancement Informationネスティングメッセージを符号化する前記手段は、
−  前記写真内の領域の数を示すパラメータを符号化する手段と、
−  前記領域の各々について、前記写真内の前記領域の位置を表す少なくとも１つのパラメータを符号化する手段と、
−  前記Supplemental Enhancement Informationネスティングメッセージ中にネスティングされるSupplemental Enhancement Informationメッセージの数を示すパラメータを符号化する手段と、
−  前記Supplemental Enhancement Informationネスティングメッセージ中にネスティングされる各Supplemental Enhancement Informationメッセージについて、処理情報を符号化する手段と、
−  各領域と、前記少なくとも１つのSupplemental Enhancement Informationネスティングメッセージ中にネスティングされる少なくとも１つのSupplemental Enhancement Informationメッセージとの関連付けを表す情報を符号化する手段と
を含む、装置。
（付記４）
コード化されたビデオを表すビットストリームを復号する装置であって、
−  前記ビデオの少なくとも１つの写真を前記ビットストリームから復号する手段と、
−  Supplemental Enhancement Informationネスティングメッセージを復号する手段と
を含み、前記Supplemental Enhancement Informationネスティングメッセージを復号する前記手段は、
−  前記写真内の領域の数を示すパラメータを復号する手段と、
−  前記領域の各々について、前記写真内の前記領域の位置を表す少なくとも１つのパラメータを復号する手段と、
−  前記Supplemental Enhancement Informationネスティングメッセージ中にネスティングされるSupplemental Enhancement Informationメッセージの数を示すパラメータを復号する手段と、
−  前記Supplemental Enhancement Informationネスティングメッセージ中にネスティングされる各Supplemental Enhancement Informationメッセージについて、処理情報を復号する手段と、
−  各領域と、前記少なくとも１つのSupplemental Enhancement Informationネスティングメッセージ中にネスティングされる少なくとも１つのSupplemental Enhancement Informationメッセージとの関連付けを表す情報を復号する手段と
を含む、装置。
（付記５）
プロセッサによって実行されるときに、付記１に記載の方法を実行するためのソフトウェアコード命令を含むコンピュータプログラム。
（付記６）
プロセッサによって実行されるときに、付記２に記載の方法を実行するためのソフトウェアコード命令を含むコンピュータプログラム。
（付記７）
コード化されたビデオを表すビットストリームであって、
−  前記ビデオの１つの写真を表すコード化されたデータと、
−  少なくとも１つのSupplemental Enhancement Informationネスティングメッセージとを含み、前記少なくとも１つのSupplemental Enhancement Informationネスティングメッセージは、
−  前記写真内の領域の数を示すパラメータと、
−  前記領域の各々について、前記写真内の前記領域の位置を表す少なくとも１つのパラメータと、
−  前記Supplemental Enhancement Informationネスティングメッセージ中にネスティングされるSupplemental Enhancement Informationメッセージの数を示すパラメータと、
−  前記Supplemental Enhancement Informationネスティングメッセージ中にネスティングされる各Supplemental Enhancement Informationメッセージについての処理情報と、
−  各領域と、前記少なくとも１つのSupplemental Enhancement Informationネスティングメッセージ中にネスティングされる少なくとも１つのSupplemental Enhancement Informationメッセージとの関連付けを表す情報と
を含む、ビットストリーム。